(57)【要約】【課題】  収納袋からトイレケースに一群のペレットを注ぎ入れる際に、その一部がトイレケース外にこぼれたとしても、それが床面上に広く散らかることがなく、しかも吸尿性能にも優れたペット用排尿処理材を製造する方法を提供する。【解決手段】  適宜な水分を含んだ天然の、又はアルカリ処理された膨潤性スメクタイト系粘土を、所定断面形状の多数の押出孔を有する成型盤に通過させたのち、これを適宜長さに切断、及び乾燥することで、所定断面形状及び所定長さを有する柱状ペレット群からなるペット用排尿処理材を生成するにおいて、前記押出孔の断面輪郭形状の包絡線が、扁平環状又は比較的に長い直線部分を含む環状であり、かつ生成された柱状ペレット群の８０重量％以上を構成する個々の柱状ペレットのサイズは、３メッシュの篩は通過するものの、１０メッシュの篩は通過しない範囲のサイズである。【選択図】図３
2020092682.tif 000002
【特許請求の範囲】
【請求項１】
適宜な水分を含んだ天然の、又はアルカリ処理された膨潤性スメクタイト系粘土を、所定断面形状の多数の押出孔を有する成型盤に通過させたのち、これを適宜の長さに切断、及び乾燥することで、前記押出孔通過後の収縮程度により定まる所定断面形状及び所定の長さを有する柱状ペレット群からなるペット用排尿処理材を生成するペット用排尿処理材の製造方法であって、
前記押出孔の断面輪郭形状の包絡線が、扁平環状又は比較的に長い直線部分を含む環状であり、かつ生成された柱状ペレット群の８０重量％以上を構成する個々の柱状ペレットのサイズは、３メッシュの篩は通過するものの、１０メッシュの篩は通過しない範囲のサイズである、ペット用排尿処理材の製造方法。
【請求項２】
前記押出孔の内周には、１又は２以上の突起が設けられている、請求項１に記載のペット用排尿処理材の製造方法。
【請求項３】
前記成型盤の押出孔を通過させる際の前記膨潤性スメクタイト系粘土の含水率は、２０〜４０％である、請求項１に記載のペット用排尿処理材の製造方法。
【請求項４】
前記柱状ペレット群からなるペット用排尿処理材の膨潤度は、１０ｍＬ／２ｇ以上である、請求項１に記載のペット用排尿処理材の製造方法。
【請求項５】
前記柱状ペレット群を構成する個々の柱状ペレットの長さは、３〜１５ｍｍである、請求項１に記載のペット用排尿処理材の製造方法。
【請求項６】
包絡線が扁平環状となる押出孔の断面輪郭形状とは、平行な２本の等長線分の両端のそれぞれに半円形を連接した如き小判形である、請求項１〜５のいずれか１つに記載のペット用排尿処理材の製造方法。
【請求項７】
包絡線が扁平環状となる押出孔の断面輪郭形状とは、２以上の等径円を互いにその一部を重ねて直線状に連接してなる瓢箪形ないし串刺し団子形である、請求項１〜５のいずれか１つに記載のペット用排尿処理材の製造方法。
【請求項８】
包絡線が比較的に長い直線部分を含む環状となる押出孔の断面輪郭形状とは、長方形、台形、三角形、又は十字形が含まれる、請求項１〜５のいずれか１つに記載のペット用排尿処理材の製造方法。
【請求項９】
請求項１〜８のいずれか１つに記載の方法により製造されたペット用排尿処理材。
【発明の詳細な説明】
【技術分野】
【０００１】
本発明は、ペット用排尿処理材の製造方法に係り、特に、スメクタイト系粘土を主原料とするペレット集合体で構成されるペット用排尿処理材の製造方法に関する。
【背景技術】
【０００２】
従来のスメクタイト系粘土を主原料とするペット用排尿処理材（以下、ベントナイト系ペット用排尿処理材と表現することがある）は、「猫砂」等と称されて、ペレットの集合体として提供されるのが一般的である（特許文献１参照）。
【０００３】
このようなベントナイト系ペット用排尿処理材は、ペット用トイレ等と称される比較的底の浅いトレイに適当な深さ敷き詰められ、使用済み部分、即ち濡れて凝集固化した部分のみを取り除くようにして使用される。
【０００４】
すなわち、この種の排尿処理材は、吸尿により急激に膨潤した個々のペレット表層の泥状化域が相互に押し重なるように渾然一体となり塊状物となって固化するという作用機序により尿を吸収固化し使用済み部分のみを簡易に取り除けるものである。
【先行技術文献】
【特許文献】
【０００５】
【特許文献１】特開２０１３−００００３６号公報
【発明の概要】
【発明が解決しようとする課題】
【０００６】
この種の排尿処理材を構成する個々のペレットは、ペット（例えば、猫）が踏んだときに足の裏に突き刺すような苦痛や不快感を与えないように、球状や円柱状といった丸みを帯びた立体形状であるのが一般的である。そのため、例えば、新規にトイレを準備するために、あるいは、不足分を補うために、収納袋からトイレケースに一群のペレットを注ぎ入れる際に、その一部が誤ってトイレケース外にこぼれると、それが転がって、床面上に広く散らかると言う問題点があった。
【０００７】
本発明は、上述の問題点に着目してなされたものであり、その目的とするところは、収納袋からトイレケースに一群のペレットを注ぎ入れる際に、その一部がトイレケース外にこぼれたとしても、それが床面上に広く散らかることがなく、しかも吸尿性能にも優れたペット用排尿処理材を製造する方法を提供することにある。
【０００８】
本発明の他の目的並びに作用効果については、以下の記述を参照することにより、当業者であれば容易に理解されるであろう。
【課題を解決するための手段】
【０００９】
上述の技術的課題は、以下の構成を有するペット用排尿処理材の製造方法により解決することができると考えられる。
すなわち、本発明に係るペット用排尿処理材の製造方法は、適宜な水分を含んだ天然の、又はアルカリ処理された膨潤性スメクタイト系粘土を、所定断面形状の多数の押出孔を有する成型盤に通過させたのち、これを適宜の長さに切断、及び乾燥することで、前記押出孔通過後の収縮程度により定まる所定断面形状及び所定の長さを有する柱状ペレット群からなるペット用排尿処理材を生成するペット用排尿処理材の製造方法であって、
前記押出孔の断面輪郭形状の包絡線が、扁平環状又は比較的に長い直線部分を含む環状であり、かつ生成された柱状ペレット群の８０重量％以上を構成する個々の柱状ペレットのサイズは、３メッシュの篩は通過するものの、１０メッシュの篩は通過しない範囲のサイズとするものである。
【００１０】
なお、前記の包絡線は数学上の定義で言う包絡線とは多少異なる意味合いを有し、ここで言う「断面輪郭形状の包絡線」とは、断面輪郭形状が楕円形、四角形、三角形、等々と言ったように凸面又は凸曲面にて囲まれている場合には、その包絡線とは断面輪郭形状をなぞる環状であり、断面輪郭形状が十字形、三日月形と言ったように凹面又は凹曲面にて囲まれている場合には、突部同士を繋ぐ曲線乃至直線からなる環状となるものである。つまり、それらの環状線は、床面との接触面又は接触等価面を表すこととなる。
【００１１】
このような構成によれば、製造される個々の柱状ペレットのそれぞれは、押出孔通過後、全体的に僅かに収縮して角部にやや丸みは帯びるとはいえ、その断面輪郭形状は、基本的には、その包絡線が扁平環状又は比較的に長い直線部分を含む環状となるものであるから、その周面に幅の広い平坦部や曲率の大なる曲面部が生じたり、或いは２つの突条部により安定的に床面着座することで、従来の真円形断面の柱状ペレットや球状ペレットに比べて明らかに転がり難さが増すこととなる。そのため、収納袋からトイレケースに一群のペレットを注ぎ入れる際に、その一部がトイレケース外にこぼれたとしても、それが床面上に広く散らかることがなくなる。
【００１２】
加えて、従前の断面真円形状の柱状ペレットの場合に比べて、嵩密度が小さくなるため、例えば袋詰め商品として販売する場合、１袋当たり必要なスメクタイト系粘土の量が従来よりも少なくて済み、その分だけコストダウンが可能となるほか、１袋当たりの軽量化により運搬の容易化も可能となる。
【００１３】
また、柱状ペレット群の８０重量％以上は、３メッシュの篩は通過するものの、１０メッシュの篩は通過しない範囲のサイズであるから、想定される堆積状態において生ずるペレット相互間の隙間の大きさは、その隙間を尿が流下する速度とペレット内部への尿の吸収による膨潤固化が進行する速度とが調和した最適な大きさとなる。そのため、トイレケースに敷き詰められたペレットの上に放出された尿は、ペレット堆積層中に隙間を通って染み込むものの、トイレケースの底に達することなく、比較的に浅い深さにおいて、ペレット堆積層中に吸収され尽くすこととなり、結果として、廃棄されるべきペレットの少量化により、使用期間の増加が期待される。また、トイレケースの底に到達する尿も殆ど無いか極少量であることにより、トイレケースの底面では尿を腐敗させる常在菌も繁殖せず、より衛生的に保たれることにより、尿の腐敗による分解悪臭であるアンモニア等の発生の抑制も期待される。
【００１４】
好ましい実施の態様においては、前記押出孔の内周には、１又は２以上の突起が設けられていてもよい。
【００１５】
このような構成によれば、押出孔の内周に設けられた１又は２以上の突起は、押出成形に際して、生成物の表面を引っ掻くこととなるため、生成物たる柱状ペレットの表面には、その長手方向に沿って適当な深さの溝が形成される。そのため、扁平な柱状ペレット同士が密接して堆積したり、柱状ペレットの平坦部同士が密接して堆積することで、放出された尿の流路が極度に狭められた場合にも、柱状ペレット相互間の溝によって、尿の流路が確保される利点がある。
【００１６】
好ましい実施の態様においては、前記成型盤の押出孔を通過させる際の前記膨潤性スメクタイト系粘土の含水率は、２０〜４０％である方がよい。
【００１７】
このような構成によれば、押出成形時の押出圧力、並びに、押出生成物の収縮程度を適正化することができる。
【００１８】
好ましい実施の態様においては、前記柱状ペレット群からなるペット用排尿処理材の膨潤度は、１０ｍＬ／２ｇ以上である方がよい。
【００１９】
このような構成によれば、尿を吸収した際、適度な大きさ、かつ強度を有した固化物を得ることが出来る。
【００２０】
好ましい実施の態様においては、前記柱状ペレット群を構成する個々の柱状ペレットの長さは、３〜１５ｍｍである方がよい。
【００２１】
このような構成によれば、トイレケースに放出された際の密集具合の適正化を図りつつも、柱状ペレットの断面に関する設計自由度を確保して、個々のペレットの吸尿量を適正化することができる。
【００２２】
好ましい実施の態様においては、包絡線が扁平環状となる押出孔の断面輪郭形状とは、平行な２本の等長線分の両端のそれぞれに半円形を向かい合わせに連接した如き小判形であってもよい。
【００２３】
このような構成によれば、十分な幅の平坦部とそれらを繋ぐ曲面部とを確保することができ、転がり難さを適正に確保しつつも、ペット（例えば、猫）の足裏に対して突き刺さるような苦痛や不快感を与えることがなく、かつ袋入り商品化する場合には、嵩密度の適正化により、一袋当たりのコストダウンを図ることもできる。
【００２４】
好ましい実施の態様においては、包絡線が扁平環状となる押出孔の断面輪郭形状とは、２以上の等径円を互いにその一部を重ねて直線状に連接してなる瓢箪形ないし串刺し団子形であってもよい。
【００２５】
このような構成によれば、隣接する半円状山部の間に谷部が生ずることで、山部の尾根同士を結ぶ平面が床面への着座面となって転がり難さが確保される一方、山部と山部との間に生ずる谷部が溝となって、密集して堆積された際にも、尿の流路が適正に確保されるという利点がある。
【００２６】
好ましい実施の態様においては、包絡線が比較的に長い直線部分を含む環状となる押出孔の断面輪郭形状とは、長方形、台形、三角形、又は十字形が含まれていてもよい。
【００２７】
このような構成によれば、長方形、台形、三角形等の画数の少ない多角形の場合には、その周面の一部には比較的に広い平坦部が生ずるため、転がり難さが確保される。また、十字形の場合には、隣接する稜線同士を繋ぐ平面が着座面となるために、転がり難さが確保されると共に、隣接する稜線同士の間に生ずる谷部が溝となって、密集して堆積された際にも、尿の流路が適正に確保されるという利点がある。
【００２８】
そのため、上述の各製造方法により製造されるペット用排尿処理材によれば、収納袋からトイレケースに一群のペレットを注ぎ入れる際に、その一部がトイレケース外にこぼれたとしても、それが床面上に広く散らかることがなくなる。
【発明の効果】
【００２９】
本発明に係るペット用排尿処理材の製造方法によれば、製造される個々の柱状ペレットのそれぞれは、その周面に幅の広い平坦部や曲率の大なる曲面部が生じたり、或いは２つの突条部により安定的に床面着座することで、従来の真円形断面の柱状ペレットや球状ペレットに比べて明らかに転がり難さが増すこととなる。そのため、収納袋からトイレケースに一群のペレットを注ぎ入れる際に、その一部がトイレケース外にこぼれたとしても、それが床面上に広く散らかることがなくなる。
【００３０】
加えて、従前の断面真円形状の柱状ペレットの場合に比べて、嵩密度が小さくなるため、例えば袋詰め商品として販売する場合、その軽量化により１袋当たりのコストダウンが可能となり運搬の容易化も可能となる。
【００３１】
また、柱状ペレットのサイズが、その堆積状態において生ずるペレット相互間の隙間の大きさを、その隙間を尿が流下する速度と膨潤固化が進行する速度とが調和した最適な大きさとなすため、トイレケースに敷き詰められたペレットの上に放出された尿は比較的に浅い深さにおいてペレット堆積層中に吸収され尽くすこととなり、結果として廃棄されるべきペレットの少量化による使用期間の増加とアンモニア等の悪臭に対する防臭効果の増大が期待される。
【図面の簡単な説明】
【００３２】
【図１】本発明に係るペット用排尿処理材の製造方法を示す図である。
【図２】ペット用排尿処理材の製造工程を示すゼネラルフローチャートである。
【図３】押出造粒機用の成型盤の一例を示す図である。
【図４】本発明に係るペット用排尿処理材の一実施形態を示す図である。
【図５】転がり距離試験の測定方法及び測定結果を示す図（その１）である。
【図６】転がり距離試験の測定方法及び測定結果を示す図（その２）である。
【図７】凝集性の試験結果を示す図である。
【図８】ペット用排尿処理材の使用例を示す図である。
【図９】成型盤の押出孔形状の例を示す図である。
【図１０】嵩密度の測定結果を示す図である。
【図１１】粒径による固化性の差を示す図である。
【発明を実施するための形態】
【００３３】
以下に、本発明に係るペット用排尿処理材の製造方法の好適な一実施例を添付図面を参照しながら詳細に説明する。
【００３４】
＜１．１  構成＞
＜ペット用排尿処理材の製造方法の一例＞
図１，２を参照しながら、本発明に係るペット用排尿処理材の製造方法の一例を説明する。
先ずはじめに、原土採掘工程（図２、Ｓ１０１）においては、新潟県新発田市所在のサブベントナイト粘土鉱床２から、原土となるスメクタイト系粘土１を採掘する（図１（ａ）参照）。
次いで、破砕工程（図２、Ｓ１０２）においては、必要に応じて原土に水を添加して混練したのち、平型ロール式粗砕機３（回転式粉砕機  Ｈ−８７００型  石川時鉄工所製）にて破砕して、水分含有率が約３１％の粗砕物４を得る（図１（ｂ）参照）。
次に、混練工程（図２、Ｓ１０３）においては、１５０℃乾物換算で１０ｋｇの粗砕物４に対して、アルカリ化合物として炭酸ナトリウム（Ｎａ2ＣＯ3）の粉末３００ｇ（＝５．６７当量）を添加したのち、孔径１０ｍｍの押出孔を多数有する成型盤を備えた単軸式横型押出造粒機（図示を省略）に３回かけて混合・捏和し、粗造粒物４'を得る。
次に、造粒工程（図２、Ｓ１０４）においては、粗造粒物４'を短径６１ａ（＝２ｍｍ）×長径６１ｂ（＝４ｍｍ）の小判型押出孔６１を多数有する成型盤６（図３参照）を備えたディスクペレッター（回転ロール式縦型押出造粒機）を用いて押し出し、孔から押し出された個々の柱状部を適切な長さで切断することで、未乾燥状態にある一群の柱状ペレット５が得られる（図１（ｃ）参照）。
次いで、乾燥工程（図２、Ｓ１０５）においては、回転式乾燥炉により未乾燥状態にある一群の柱状ペレット５を１５０〜１７０℃で乾燥し、解砕機と篩分機にかけて、全長ｃ（＝４〜１０ｍｍ）、断面の短径ａ（＝約２ｍｍ）、断面の長径ｂ（＝約４ｍｍ）の断面小判状の柱状ペレット５'を得た（図４参照）。
なお、図１において混練工程、乾燥工程は図示を省略している。得られた一群の柱状ペレット５'、３メッシュの篩及び１０メッシュの篩に順にかけたところ、全体の約８５％が３メッシュの篩を通過し、且つ１０メッシュの篩を通過しないサイズであった。
【００３５】
上述の造粒工程で用いられる押出造粒機用成型盤の一例が図３に示されている。ここで図３（ａ）は成型盤６の全体図、図３（ｂ）は押出孔６１の拡大図である。同図に示されるように、成型盤６には多数の押出孔６１が設けられており、これらの押出孔６１から粗造粒物４'が成形されて押し出されることにより、柱状ペレット５の基本的な断面形状が決定される。より正確には、押出孔６１から押し出された後に図示されてないブレードで適当な長さに切り落とされ、回転式乾燥炉で乾燥されることでペット用排尿処理材５が完成するため、乾燥工程での多少の縮みや欠け等が生じることもあるが、押出孔６１から押し出された際の形状やサイズと大きな差異はない。なお、この例では、押出孔６１の断面形状は、例えば、短径Ｄａ２（＝１〜５ｍｍ）、長径Ｄａ１（＝２〜１５ｍｍ）の小判形である。
【００３６】
本発明において、スメクタイト系粘土にアルカリ化合物を添加するのは、所謂活性化処理を行うためであり、スメクタイト系粘土にアルカリ剤を添加して混練することでスメクタイト系粘土のスメクタイト層間にアルカリ陽イオンが導入され、スメクタイト系粘土の膨潤性と固化性が向上する。
【００３７】
また、ここで用いるアルカリ化合物としては、炭酸塩、ケイ酸塩、水酸化物等既知のものを適宜選択して用いることができるが、充分な膨潤性向上効果が得られ、安価であるという理由から炭酸ナトリウム、ケイ酸ナトリウム、水酸化ナトリウムが好ましい。
【００３８】
次いで、本発明に係るペット用排尿処理材を構成する柱状ペレット５'の一実施形態について、図４を参照しつつ説明する。柱状ペレット５'はスメクタイト系粘土を主原料とするものであり、大きさは一例として断面の短径ａ（＝１〜４ｍｍ）、長径ｂ（＝３〜６ｍｍ）、全長ｃ（＝４〜１０ｍｍ）である。当該柱状ペレット５'の断面形状は成型盤６の押出孔６１の断面輪郭形状により、全長ｃは押出成型時の切断位置により大凡決定されるが、乾燥時や袋に充填して販売店に搬送する際に一部欠けたり折れたりすることもある。同図において、ペット用排尿処理材５'の断面形状は略小判形状である。
【００３９】
次いで、図９（ａ）〜（ｆ）には成型盤６の押出孔の断面形状の例が示されている。図９（ａ）は略小判型形状の例であり、一例として長径Ｄa1は４ｍｍ、短径Ｄa2は２ｍｍである。図９（ｂ）は長方形形状の例であり、一例として長辺の長さＤb1は５ｍｍ、短辺の長さＤb2は１．５〜３ｍｍである。図９（ｃ）は円形を二つ繋げた略瓢箪形状の例であり、一例として長径Ｄc1は４ｍｍ、短径Ｄc2は２．５ｍｍである。図９（ｄ）は円形を三つ繋げた略串刺し団子形状の例であり、一例として長径Ｄd1は５ｍｍ、短径Ｄd2は２ｍｍである。図９（ｅ）は正三角形形状の例であり、一例として一辺の長さＤeは４ｍｍである。図９（ｆ）は従来例に相当する真円形状の例であり、一例として直径Ｄfは３ｍｍである。本発明において成型盤６の押出孔形状としては、図９（ａ）〜（ｅ）の構造に加え、三日月形、十字型等の形状を採用してもよい。
【００４０】
図９（ａ）〜図９（ｄ）から明らかなように、以上述べた略小判形形状、長方形形状、略瓢箪形形状、略串刺し団子形状の押出孔の輪郭を取り巻く包絡線は、いずれも、扁平な環状となる。そのため、それらの押出孔を通過して成形された柱状ペレット５は、扁平な立体形状となることから、平坦な床面上に安定的に着座することができ、転がり難い立体形状であると言える。
【００４１】
図９（ａ）、図９（ｂ）及び図９（ｅ）に示される小判形形状、長方形形状及び三角形形状の押出孔の輪郭を取り巻く包絡線の一部には、比較的に長い直線状部分が含まれていることから、それらの押出孔を通過して成形された柱状ペレット５は、平坦な一面を有する立体形状となる。そのため、その平坦な一面を介して、平坦な床面上に安定的に着座することができ、その点からも、転がり難い立体形状であると言える。
【００４２】
図９（ｃ）及び図９（ｄ）に示される略瓢箪形形状及び略串刺し団子形状の押出孔については、その内周には突起６１ｃが存在するため、そのような押出孔を通過して成形された柱状ペレット５の表面には長手方向に沿う溝が形成される。そのため、互いに密接して堆積された場合にも、それらの溝によって、尿の流路が確保される。
【００４３】
このように本発明のペット用排尿処理材の製造工程においては様々な押出孔形状を採用することができるが、これらの中でも外周面の一部が平面である構造が好ましく、更に成型盤の押出孔の加工の容易さ、押出成形時の摩耗による孔の形状維持、成形品の割れや欠けによる形状変化の少なさ、使用時に零れたペット用排尿処理材を人やペットが踏んだ際の痛みや不快感の少なさ、という理由から小判型が最も好ましい。また、より高い吸尿性と軽量化を求めるのであれば、外周面に溝を有する構造が好ましい。
【００４４】
次いで、図５，６には本発明に係る柱状ペレット５の転がり距離試験の測定方法及び測定結果が示されている。なお、図５，６において、基本形の断面は図９（ａ）、変形例１の断面は図９（ｂ）（５×１．５ｍｍ）、変形例２の断面は図９（ｂ）（５×３ｍｍ）、変形例３の断面は図９（ｃ）、従来例１の断面は図９（ｆ）に相当し、それぞれ長さは３〜１０ｍｍ程度である。また、従来例２は直径３ｍｍの球形である。
【００４５】
＜１．２  飛び散り距離測定方法＞
転がり距離試験の測定方法が図５（ａ）に示されている。この試験においては、長さ２２．５ｃｍ、幅１５ｃｍのポリエチレンテレフタレート製の板７（以下、ＰＥＴ板と記す場合がある）７を端部が金属製バット底面に接し且つバット底面と３０°の角度をなすように設置し、斜面終端部、すなわちプラスチック板７と金属製バットとの接地部分Ｄ0から２０ｃｍの位置であるＤ1より少量（この例では１０粒程度）のペレット５'を転がり落とす。転がり落ちたペレット５'の到達地点をＤXとし、接地部分Ｄ0から到達地点ＤXまでの距離を測定して、これを当該ペレット５'の転がり距離ＤR（ｍｍ）とする。なお、各試料の転がり距離ＤRは、各試料毎の（１０粒の平均値）を採用した。
【００４６】
図６（ａ）〜（ｆ）には転がり距離試験後の各試料の飛散状態が示されている。なお、図６（ａ）〜（ｆ）の各図は測定時の写真に基づくものである。従来例１，２に係るペレット５'は金属製バット８内に広く散らばっているのに対して（図６（ｅ）、（ｆ）参照）、基本形、及び変形例１〜３に係るペット用排尿処理材５'はあまり飛散せずＰＥＴ板７の接地部分Ｄ0近傍に留まっていることがわかる（図６（ａ）〜（ｄ）参照）。
【００４７】
また、図６（ａ）〜（ｆ）に示された各試料毎の転がり距離を比較したグラフが図５（ｂ）に示されている。同図に示されるように、一般的なペレットの形状である従来例１（円柱形状）、従来例２（球形）は転がり距離ＤRが１００ｍｍ以上であったが、基本形（略小判型）、変形例１（長方形）、変形例２（長方形）、変形例３（円連結形状）についてはいずれも転がり距離ＤRが５０ｍｍ以下であり、本発明の立体形状を採用することで転がり距離が改善されたことがわかる。
【００４８】
＜１．４  固化性能についての検証＞
ペレット５'の凝集性の試験結果及び試験方法が図７，８に示されている。ここで図７は凝集性の試験結果を示す図面代用写真、図８はペット用排尿処理剤の使用例を示す図面である。
【００４９】
凝集性の試験においては、はじめに試料となる各ペレット５'をペット用トイレに深さ１５ｃｍ分を敷き詰め（図８参照）、疑似尿（後段にて説明する）２０ｍｌを１０秒間かけて注ぐ。
【００５０】
しばらく放置し、吸尿部分が固化した後にこの固化物５"を採取して固化物５"の鉛直方向の長さを測定し、固化長（ｍｍ）とした。固化物５"の固化長が短いということは、吸尿時に尿がペット用排尿処理材に速やかに吸収されてペット用トイレの下方まで流れないことを意味し、ペット用排尿処理材群としての吸水（尿）性が高いことを意味する。
【００５１】
図７は疑似尿を用いた際の固化物であり、基本形及び変形例の固化長が従来例の固化長よりも短く、基本形及び変形例のペット用排尿処理材が優れた固化性能を有していることがわかり、特に外周部に溝を有する変形例３では顕著である。
【００５２】
基本形、変形例、従来例に係るペレット５'はすべて同一の原材料から製造されたものであるにも関わらずこのような差異が生じたのは形状の差によるものと考えられる。基本形及び各変形例に係るペレット５'は、ペット用トイレ等に敷き詰めた際に従来例１よりも各ペット用排尿処理材５'同士の間に隙間が生じやすいにも係わらず固化長が短くなるのは、基本形及び各変形例に係るペット用排尿処理材は平面を有する構造であるために粒子同士が平行に重なる機会が増え、鉛直方向からの尿液（疑似尿）の流れを阻害することで、結果としてこの隙間により尿液が素早く吸収されることによるものと推測される。又、本発明の基本形及びその変形によるペレットと従来の円柱状ペレットの比較において、仮に、同一体積または同一重量を有するペレット間のそれぞれのペレットの外表面積を比較すると、本発明のペレットの方が従来の円柱状のペレットよりもやや大きくなることが尿液のペレット内部への吸収を早める一因となっているとも考えられる。
【００５３】
＜１．５  疑似尿の所定処方＞
先に述べた疑似尿は、猫尿中の電解質成分を模して発明者等が考案し、次の手順で作成されたものである。５Ｌのビーカーに２ｋｇの脱イオン水を入れ、撹拌しながら、各々別々に秤取した以下の７種の試薬を順次加え入れて溶解する。
１＿ＣａＣｌ2・２Ｈ2Ｏ（＝１４７．０１；≧９９％）：０．２２ｇ
２＿ＭｇＣｌ2・６Ｈ2Ｏ（＝２０３．３０；≧９７％）：２．８３ｇ
３＿ＫＣｌ（＝７４．５５；≧９９％）：２７．１１ｇ
４＿ＮａＣｌ（＝５８．４４；≧９９％）：３．５４ｇ
５＿Ｎａ2ＳＯ4（＝１４２．０４；≧９９％）：１７．２２ｇ
６＿ＮａＨＣＯ3（＝８４．０１；≧９９．５％）：１７．７３ｇ
７＿ＮａＨ2ＰＯ4・２Ｈ2Ｏ（＝１５５．９９；≧９９％）：３７．８２ｇ
次いで、脱イオン水を加えて全量を３ｋｇとなし、さらに撹拌して均質な溶液とすることで、疑似尿を得た。得られた疑似尿のｐＨを測定すると、ｐＨ：６．０〜６．５（２０〜３０℃）であった。
【００５４】
＜１．６  膨潤度試験方法＞
本発明において、成形後のペット用排尿処理材の膨潤度は以下の手順で測定されたものである。純水１００ｍＬを入れたメスシリンダーに、当該試料の１５０℃乾燥粉末２ｇを、試料が内壁に殆ど付着しないようにしながら先に加えた試料が殆ど沈着した後に次の試料を加えるようにして順次分け入れる。試料を加え終わった後に２４時間静置して、容器内に堆積した試料の見掛け容積を読み取り膨潤度（ｍＬ／２ｇ）とした。例えば、２４時間後の該見掛け容積が１０ｍＬであれば、そのペット用排尿処理材の膨潤度は１０ｍＬ／２ｇとなる。該膨潤度が大きいほど、そのペット用排尿処理材が吸収できる吸水量が多いことを意味する。
【００５５】
＜１．７  軽量化即ち嵩密度についての検証＞
ペレット５'の嵩密度の試験結果が図１０に示されている。なお、基本形、変形例、及び従来例の形状は、図５〜７と同様である。嵩密度の測定方法は次の通りである。
【００５６】
試料となる各ペット用排尿処理材５'を１リットルのステンレス容器に投入し、上部の山盛り部分をプラスチック製定規で摺り切り、その重量を測る。量った重量からステンレス容器の重量を引いた値を嵩密度（単位：ｇ／Ｌ）とする。図１０の結果から明らかなように、本発明に係る基本形、及び変形例１〜３に係るペレット５'は、いずれも従来例１よりも嵩密度が小さく軽量性に優れるものであった。これらのペレット５'はすべて同一の原材料から製造されたものであるにも関わらず、このような差異が生じたのは、基本形及び各変形例に係るペット用排尿処理材５'はその形状から、ペット用トイレ等に敷き詰めた際に従来例１よりも各ペット用排尿処理材５'同士の間に隙間が生じやすく、ペット用排尿処理材の軽量化に寄与したものと推測される。
【００５７】
図１１には、粒径の異なる２種のペット用排尿処理材の固化性の違いが示されている。なお同図において固化物の背後に書かれている目盛りは、一マスが１ｃｍ角である。基本形と記された左側のペレットは断面が４×２ｍｍの小判型であり、長さが４〜９ｍｍである。一方、参考例１に記されたペレットは断面が８×５ｍｍの小判型であり、長さが１０〜２０ｍｍである。
【００５８】
本願に係る基本形のペレットは固化長が６〜８ｃｍ程度であるのに対して、粒径の大きい参考例１のペレットは１９〜２０ｃｍ程度の固化長となっている。これは参考例１の粒径がベントナイト系のペレットとしては大きすぎるためにペレットを敷き詰めた際にペレット同士の間に大きな隙間が生じ、一度に流れ込む水分量が多くになることにより水分が周囲のペット用排尿処理材に吸収される前に下方に流れたことが原因であると考えられる。ペット用排尿処理材を敷き詰めた際に、ある程度までの大きさの隙間は水分の拡散を早めて吸水が行われていないペレットに水分を届かせることで結果として吸水性を向上させるが、過度に大きな隙間は水分が粒状物周辺に留まらず下方に流れてしまうため、吸水性の悪化に繋がる。このため、ベントナイト系のペレットについては粒径が大きすぎることは好ましくないと考えられる。
【図１】
2020092682.tif 000003
【図２】
2020092682.tif 000004
【図３】
2020092682.tif 000005
【図４】
2020092682.tif 000006
【図５】
2020092682.tif 000007
【図６】
2020092682.tif 000008
【図７】
2020092682.tif 000009
【図８】
2020092682.tif 000010
【図９】
2020092682.tif 000011
【図１０】
2020092682.tif 000012
【図１１】
2020092682.tif 000013